(57)【要約】【課題】安定性を害することなく、高価な幕板を使用する必要のないエレベータ用防煙スクリーン装置を提供する。【解決手段】幕板を有さずに低背に形成され、乗場出入口の上縁部を構成する三方枠５の上枠本体５ｃと、一縁部が上枠本体５ｃを上方から貫通して乗場出入口を鉛直方向に移動可能に配置されるスクリーン１２と、上枠本体５ｃよりも低背に形成されてスクリーン１２の他縁部が取り付けられ、通常時はスクリーン１２の一縁部が乗場出入口上方に配置されるようにスクリーン１２を上枠本体５ｃ内に巻き取り、非常時にスクリーン１２の一縁部側を下方へ繰り出して乗場出入口を閉鎖する巻取り手段１３とを備えた。【選択図】図２
2008280122.tif 000002
【特許請求の範囲】
【請求項１】
幕板を有さずに低背に形成され、乗場出入口の上縁部を構成する三方枠の上枠本体と、
一縁部が前記上枠本体を上方から貫通して前記乗場出入口を鉛直方向に移動可能に配置されるスクリーンと、
前記上枠本体よりも低背に形成されて前記スクリーンの他縁部が取り付けられ、通常時は前記スクリーンの一縁部が乗場出入口上方に配置されるように前記スクリーンを前記上枠本体内に巻き取り、非常時に前記スクリーンの一縁部側を下方へ繰り出して乗場出入口を閉鎖する巻取り手段と、
を備えたことを特徴とするエレベータ用防煙スクリーン装置。
【請求項２】
幕板とは別個に低背に形成され、乗場出入口の上縁部を構成する三方枠の上枠本体と、
一縁部が前記上枠本体を上方から貫通して前記乗場出入口を鉛直方向に移動可能に配置されるスクリーンと、
前記上枠本体よりも低背に形成されて前記スクリーンの他縁部が取り付けられ、通常時は前記スクリーンの一縁部が乗場出入口上方に配置されるように前記スクリーンを前記上枠本体内に巻き取り、非常時に前記スクリーンの一縁部側を下方へ繰り出して乗場出入口を閉鎖する巻取り手段と、
を備えたことを特徴とするエレベータ用防煙スクリーン装置。
【請求項３】
巻取り手段は、出入口幅方向に延びる回転軸を有して離れて配置され、上枠本体高さよりも小径に形成される一対の巻取りドラムによりスクリーンの巻き取り及び繰り出しを行うことを特徴とする請求項１又は請求項２に記載のエレベータ用防煙スクリーン装置
【請求項４】
巻取り手段は、一対の巻取りドラムに無端状に巻き付けられて循環移動可能に構成される巻取り補助体外周面にスクリーンの他縁部を取り付けてスクリーンの巻き取り及び繰り出しを行うことを特徴とする請求項３記載のエレベータ用防煙装置。
【請求項５】
一対の巻取りドラムの少なくとも一方は、減速機を介してモータにより駆動されることを特徴とする請求項３又は請求項４に記載のエレベータ用防煙スクリーン装置。
【請求項６】
減速機及びモータは、一対の巻取りドラムの間に納められることを特徴とする請求項５記載のエレベータ用防煙スクリーン装置。
【請求項７】
スクリーンは、
一縁部に先端枠
を備え、
巻取り手段は、
一対の巻取りドラムの少なくとも一方を前記スクリーンの巻取り方向に付勢するゼンマイ式戻しバネと、
通常時に前記先端枠が乗場出入口上方から下方へ移動しないように制御し、非常時に開放されて前記先端枠を自重により前記ゼンマイ式戻しバネの復元力に抗して下降させる固定ブレーキと、
を備えたことを特徴とする請求項３又は請求項４に記載のエレベータ用防煙スクリーン装置。
【請求項８】
スクリーンは、
一縁部に先端枠
を備え、
巻取り手段は、
一対の巻取りドラムの少なくとも一方の回転軸に取り付けられるワイヤー巻取りプーリと、
前記ワイヤー巻取りプーリに一端が巻き付けられるワイヤーと、
前記ワイヤーの他端に設けられ、前記ワイヤー及び前記ワイヤー巻取りプーリを介して前記巻取りドラムの少なくとも一方を前記スクリーンの巻取り方向に回転するように荷重をかける荷重発生手段と、
通常時に前記先端枠が乗場出入口上方から下方へ移動しないように制御し、非常時に開放されて前記先端枠の自重により前記荷重発生手段の荷重に抗して前記スクリーンを下降させる固定ブレーキと、
を備えたことを特徴とする請求項３又は請求項４に記載のエレベータ用防煙スクリーン装置。
【請求項９】
荷重発生手段は、ワイヤーの他端を復元力で引っ張る戻しバネで構成されることを特徴とする請求項８記載のエレベータ用防煙スクリーン装置。
【請求項１０】
荷重発生手段は、ワイヤーの他端を自重で引き下げるオモリで構成されることを特徴とする請求項８記載のエレベータ用防煙スクリーン装置。
【請求項１１】
オモリは、三方枠の縦枠に設けられるオモリガイド枠内で鉛直方向に摺動可能に収納されることを特徴とする請求項１０記載のエレベータ用防煙スクリーン装置。
【請求項１２】
上枠本体は、底面に乗場出入口から開閉可能な点検蓋が設けられていることを特徴とする請求項１〜請求項１１のいずれかに記載のエレベータ用防煙スクリーン装置。  
【発明の詳細な説明】
【技術分野】
【０００１】
この発明は、エレベータの乗場の三方枠に備えた防煙スクリーン装置に関するものである。
【背景技術】
【０００２】
従来のエレベータにおいて、防煙用シャッター装置やスクリーン装置を三方枠の上枠上面に組み込むものが提案されている（例えば、特許文献１参照）。この特許文献１記載のものは、巻取り用ドラム等の点検時には昇降路側から戸閉装置を取り外す必要があった。
【０００３】
そこで、三方枠上面よりも巻取りドラムを嵩上げして戸閉装置よりも上方に配置して昇降路側から戸閉装置を取り外すことなく点検できるように構成されるものも提案されている（例えば、特許文献２参照）。
【０００４】
【特許文献１】特開２００３−８９４９０号公報（図１及び図２、図１０等）
【特許文献２】特開２００４−２４４１３１号公報（図１及び図２）
【発明の開示】
【発明が解決しようとする課題】
【０００５】
しかしながら、特許文献２のものは、安定性が悪く、しかも三方枠の搬入上や運搬上からも制約を受けるという問題点がある。
【０００６】
さらに、特許文献１及び特許文献２記載のものは、双方とも三方枠上枠の上方に巻取りドラムを配置したことに変わりはないので、三方枠を乗場の開口に入れるには建築の乗場開口を大きくしなければならず、それを乗場側から隠すために高価な幕板付きの三方枠を使用する必要があった。また、巻取りドラムが大きいために乗場インジケータが取り付けにくいという問題もあった。
【０００７】
この発明は、上述のような課題を解決するためになされたもので、その目的は、安定性を害することなく、高価な幕板を使用する必要のないエレベータ用防煙スクリーン装置を提供することである。
【課題を解決するための手段】
【０００８】
この発明に係るエレベータ用防煙スクリーン装置は、幕板を有さずに低背に形成され、乗場出入口の上縁部を構成する三方枠の上枠本体と、一縁部が前記上枠本体を上方から貫通して前記乗場出入口を鉛直方向に移動可能に配置されるスクリーンと、前記上枠本体よりも低背に形成されて前記スクリーンの他縁部が取り付けられ、通常時は前記スクリーンの一縁部が乗場出入口上方に配置されるように前記スクリーンを前記上枠本体内に巻き取り、非常時に前記スクリーンの一縁部側を下方へ繰り出して乗場出入口を閉鎖する巻取り手段とを備えたものである。
【発明の効果】
【０００９】
この発明は、幕板を有さずに低背に形成され、乗場出入口の上縁部を構成する三方枠の上枠本体と、一縁部が前記上枠本体を上方から貫通して前記乗場出入口を鉛直方向に移動可能に配置されるスクリーンと、前記上枠本体よりも低背に形成されて前記スクリーンの他縁部が取り付けられ、通常時は前記スクリーンの一縁部が乗場出入口上方に配置されるように前記スクリーンを前記上枠本体内に巻き取り、非常時に前記スクリーンの一縁部側を下方へ繰り出して乗場出入口を閉鎖する巻取り手段とを備える構成としたことで、安定性を害することなく、高価な幕板を使用する必要のないエレベータ用防煙スクリーン装置を提供することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータ用防煙スクリーン装置が設けられる乗場出入口の斜視図、図２はこの発明の実施の形態１におけるエレベータ用防煙スクリーン装置が設けられる乗場出入口の縦断面図、図３はこの発明の実施の形態１におけるエレベータ用防煙スクリーンの要部斜視図である。
【００１２】
図１及び図２において、１は所定階のエレベータの乗場ホールであって、乗場ホール床２、乗場ホール天井３、乗場ホール壁４から構成されている。乗場ホール壁４は、建築壁本体４ａ及び化粧壁４ｂからなり、開口部が形成されている。この開口部には三方枠５が設けられ、乗場出入口が形成される。この乗場出入口近傍の乗場ホール壁４には、乗場ボタン組込型インジケータ６が取り付けられ、エレベータの利用者は、乗場ボタン６ａを押すことによりかご（図示せず）を所定階に呼ぶことができる。７は乗場出入口の昇降路側で開閉する乗場の戸であって、その上端部には戸閉装置カバー８に収納された戸閉装置９が設けられている。これにより、かごが未到着の場合には乗場の戸７は戸閉されている。そして、かごが到着すると、乗場の戸７は、かごの戸（図示せず）と連動して、下端部が乗場出入口下部の昇降路（図示せず）側に設けられる乗場の敷居１０の溝に収まって乗場出入口前後の動きを抑制されながら円滑に開く。図２及び図３において、１１は三方枠５の上枠本体５ａ、スクリーン１２、巻取り手段１３を主として構成されるこの発明の防煙スクリーン装置である。この防煙スクリーン装置１１は、各階の乗場出入口に設置されており、火災発生時等の非常時に昇降路を介して上下階に煙が侵入しないように乗場出入口を閉鎖するものである。以下、この発明の防煙スクリーン装置１１を詳細に説明する。
【００１３】
図１〜図３に示すように、乗場出入口上縁部を構成する三方枠５の上枠本体５ａは、幕板を有さずに低背に形成されている。この上枠本体５ａ下面の乗場ホール１側には、乗場出入口間口と略同幅の貫通穴５ｂが形成されており（図３参照）、これに対応した幅及び２１００ｍｍ程度の乗場出入口高さよりも余分長さを有するスクリーン１２の一縁部が上方から貫通している。このスクリーン１２の一縁部には、スクリーン１２と略同幅を有する先端枠１２ａが固定されている（図２参照）。この先端枠１２ａの両端は、三方枠５の両縦枠５ｃの対向面乗場ホール１側縁部近傍で鉛直方向に延びるスリット５ｄに案内されてスクリーン１２を追従させて鉛直方向に移動可能となっている。なお、図２は通常時における乗場出入口を示しており、先端枠１２ａは上枠本体５ａ底面下面の貫通穴５ｂが形成される箇所に設けられる凹部５ｅに収まって、上枠本体５ａ底面下面から下方へ突出しない状態となっている。
【００１４】
巻取り手段１３は、上枠本体５ａ内の乗場ホール１側及び昇降路側に間隔を離して配置されて乗場出入口間口方向に延びる回転軸を有する乗場ホール側巻取りドラム１３ａ及び昇降路側巻取りドラム１３ｂから構成されている（図２及び図３参照）。スクリーン１２は、その他縁部を昇降路側巻取りドラム１３ｂに取り付けた状態で、余分長さを利用してこの巻取り手段１３に巻き付いている。これらの巻取りドラム１３ａ、１３ｂは、上枠本体５ａよりも低背になるように上枠本体５ａ高さよりも小径に形成されており、巻き付けたスクリーン１２を上枠本体５ａ内に収納できるようになっている。
【００１５】
ここで、昇降路側巻取りドラム１３ｂの上方には、建築壁本体４ａが配置されずに空間が形成されている（図２参照）。この空間を利用して昇降路側巻取りドラム１３ｂの一端側上方にモータ取付板１４を介してモータカバー１５で保護されるモータ１６が配置されている（図２及び図３参照）。このモータ１６の動力は、昇降路側巻取りドラム１３ｂの一端側でモータ用プーリ１６ａ、ベルト１７を介して巻取りドラム用プーリ１３ｃに入力され、昇降路側巻取りドラム１３ｂが、適宜、回転可能となっている。なお、巻取りドラム用プーリ１３ｃはモータ用プーリ１６ａよりも大きい外径を有し、所望の速度で昇降路側巻取りドラム１３ｂを回転させる減速機として機能している。即ち、巻取り手段１３は、昇降路側巻取りドラム１３ｂを駆動側とし、乗場ホール側巻取りドラム１３ａを補助側として、スクリーン１２の巻き取り及び繰り出しが可能な構成となっている。
【００１６】
この巻取り手段１３は、通常時は先端枠１２ａが上枠本体５ａ下面に設けられる凹部５ｅに収まるまでスクリーン１２を上枠本体５ａ内に収納するように昇降路側巻取りドラム１３ｂで巻き取って、昇降路側巻取りドラム１３ｂの回転を制動させて乗場出入口を開放した状態を維持している（図２参照）。一方、火災発生時等の非常時には、巻取り手段１３は昇降路側巻取りドラム１３ｂの回転制動を解除させ、先端枠１２ａの自重も利用してスクリーン１２の一縁部側を下方へ繰り出して乗場出入口を閉鎖する。そして、火災の処理が終了して安全が確認された後の復旧時には、巻取り手段１３は、モータ１６を駆動させて再び先端枠１２ａが上枠本体５ａ下面に設けられる凹部５ｅに収まるまでスクリーン１２を昇降路側巻取りドラム１３ｂで巻き取り、乗場出入口を開放する。
【００１７】
以上で説明した実施の形態１によれば、巻取り手段１３が、スクリーン１２を上枠本体５ａ内に収納するように巻き取るため、安定性を害せず、かつ、高価な幕板を不要とする。したがって、特段の強度向上を必要とすることなく廉価である普通タイプの三方枠５で防煙スクリーン装置１１を構成でき、安価とすることができる。また、防煙スクリーン装置１１を設置するために乗場ホール壁４の開口部を必要以上に大きくする必要がなくなる。
【００１８】
なお、実施の形態１では、巻取り手段１３は、昇降路側巻取りドラム１３ｂ上方の空間を利用してモータ１６を配置するため、昇降路側巻取りドラム１３ｂにスクリーン１２の他縁部を取り付けて駆動側とし、乗場ホール側巻取りドラム１３ａを補助側として、これらの巻取りドラム１３ａ、１３ｂにスクリーン１２の他縁部側を巻き付ける構成とした。しかし、モータ１６の配置スペース等に問題がなければ、乗場ホール側巻取りドラム１３ａにスクリーン１２の他縁部を取り付けて駆動側とし、昇降路側巻取りドラム１３ｂを補助側として、これらの巻取りドラム１３ａ、１３ｂにスクリーン１２の他縁部側を巻き付ける構成としても同様の効果が得られるのはいうまでもない。また、昇降路側巻取りドラム１３ｂ及び乗場ホール側巻取りドラム１３ａにプーリを取り付け、ベルトを介して双方とも回転駆動可能に構成することもできる。即ち、スクリーン１２の他縁部が取り付けられる巻取りドラムや駆動される巻取りドラムを昇降路側巻取りドラム１３ｂ及び乗場ホール側巻取りドラム１３ａのいずれか一方に限定する必要はない。
【００１９】
実施の形態２
図４はこの発明の実施の形態２における防煙スクリーン装置の要部斜視図である。なお、実施の形態１と同一又は相当部分には同一符号を付して説明を省略する。
【００２０】
実施の形態１では、昇降路側巻取りドラム１３ｂにスクリーン１２の他縁部を取り付けて駆動側とし、乗場ホール側巻取りドラム１３ａを補助側として、これらの巻取りドラム１３ａ、１３ｂにスクリーン１２の他縁部側を巻き付け、昇降路側巻取りドラム１３ｂでスクリーン１２を巻き取る構成とした。一方、実施の形態２では、乗場ホール側巻取りドラム１３ａ及び昇降路側巻取りドラム１３ｂに無端状に巻き付けられて循環移動可能に構成されるベルト状の巻取り補助体１８外周面にスクリーン１２の他縁部を取り付けてスクリーン１２の巻取り及び繰り出しを行う構成とした。
【００２１】
以上で説明した実施の形態２によれば、巻取り補助体１８は、従来のスクリーン装置の大きな外径を有する巻取りドラムと同等の回転数で、上枠本体５ａの乗場出入口奥行き方向に寸法を有効活用してスクリーン１２を巻き取ることが可能である。即ち、巻取りドラム１３ａ、１３ｂが小径でも十分な容量のスクリーン１２を上枠本体５ａ内で巻き付けることができる。
【００２２】
実施の形態３
図５はこの発明の実施の形態３における防煙スクリーン装置の要部縦断面図、図６はこの発明の実施の形態３における防煙スクリーン装置の要部斜視図である。なお、実施の形態１と同一又は相当部分には同一符号を付して説明を省略する。
【００２３】
実施の形態１及び実施の形態２では、昇降路側巻取りドラム１３ｂ上方の空間を利用してモータ１６を配置した。一方、実施の形態３では、乗場ホール側巻取りドラム１３ａと昇降路側巻取りドラム１３ｂの間にモータ取付板１９に固定されるモータ２０が納められる構成である。このモータ２０の回転軸の一端側及び昇降路側巻取りドラム１３ｂの一端側には、それぞれ、入力歯車２１、減速機歯車２２が設けられており、アイドラー歯車２３を介して昇降路側巻取りドラム１３ｂが駆動される仕組みになっている。なお、減速機歯車２２は入力歯車２１よりも大きい外径を有し、所望の速度で昇降路側巻取りドラム１３ｂを回転させる減速機として機能している。さらに、本体５ａ底面には、昇降路側に設けられるヒンジ２４を介して点検蓋２５が乗場出入口から開閉可能に設けられている。
【００２４】
以上で説明した実施の形態３によれば、乗場ホール側巻取りドラム１３ａと昇降路側巻取りドラム１３ｂの間にモータ２０が配置されるため、昇降路側巻取りドラム１３ｂ上方に空間を確保できない場合でも防煙スクリーン装置１１を更に小さくして乗場出入口に設置できる。また、上枠本体５ａ底面には点検蓋２５が乗場出入口から開閉可能に設けられているため、保守作業が容易となる。
【００２５】
実施の形態４
図７はこの発明の実施の形態４における防煙スクリーン装置の要部縦断面図、図８はこの発明の実施の形態４における防煙スクリーン装置の要部斜視図である。なお、実施の形態１と同一又は相当部分には同一符号を付して説明を省略する。
【００２６】
実施の形態１〜実施の形態３では、モータ１６等の駆動力によりスクリーン１２が巻き取られる構成であった。一方、実施の形態４では、昇降路側巻取りドラム１３ｂの一端側に中心端が固定されるとともに上枠本体５ａ底面に形成されるバネ固定部２６ａに外側端が固定されるゼンマイ式戻しバネ２６の復元力も利用してスクリーン１２が巻き取られる構成である。
【００２７】
即ち、実施の形態４では、通常時はスクリーン１２の一縁部に固定される先端枠１２ａは、防煙スクリーン用固定ブレーキ（図示せず）により下方へ移動しないように制御され、乗場出入口が開放されている。そして、非常時には、火災や煙を検出する検出器（図示せず）や建屋の防災基地等に設置される遠隔開放装置（図示せず）からの情報で防煙スクリーン用固定ブレーキが開放されて、オモリとしての先端枠１２ａを自重によりゼンマイ式戻しバネ２６の復元力に抗して下方へ移動させることによりスクリーン１２が乗場出入口を閉鎖する仕組みになっている。一方、復旧時には、ゼンマイ式戻しバネ２６は、先端枠１２ａの重量を引き上げる復元力を有していないため、保守員が先端枠１２ａを手で持ち上げてスクリーン１２の巻き取りを補助し、防煙スクリーン用固定ブレーキを動作させる。これにより、再び先端枠１２ａが下方へ移動しないように制御されて乗場出入口が開放される。
【００２８】
以上で説明した実施の形態４によれば、モータ１６等を使用しないので、構造が簡単で故障が少なく、重量も更に小さくでき、防煙スクリーン装置１１の安定性を向上できる。
【００２９】
実施の形態５
図９はこの発明の実施の形態５における防煙スクリーン装置の要部縦断面図、図１０はこの発明の実施の形態５における防煙スクリーン装置の要部斜視図、図１１はこの発明の実施の形態５における昇降路側巻取りドラム１３ｂの回転軸の一端側を示す斜視図である。なお、実施の形態１と同一又は相当部分には同一符号を付して説明を省略する。
【００３０】
図において、２７は昇降路側巻取りドラム１３ｂの回転軸の一端側に取り付けられるワイヤー巻取りプーリ、２８は一端側がワイヤー巻取りプーリ２７に巻き付けられるワイヤー、２９は一端がワイヤー２８他端に連結されるとともに他端が上枠本体５ａの乗場ホール１対向面を昇降路側に折り曲げられた先端に固定され、ワイヤー２８及びワイヤー巻取りプーリ２７を介して昇降路側巻取りドラム１３ｂをスクリーン１２の巻き取り方向に回転するようにワイヤー２８を引っ張る荷重発生手段としての戻しバネである。
【００３１】
実施の形態４では、ゼンマイ式戻しバネ２６の復元力も利用してスクリーン１２が巻き取られる構成であった。一方、実施の形態５では、戻しバネ２９の復元力も利用してスクリーン１２が巻き取られる構成である。ここで、昇降路側巻取りドラム１３ｂ外径は、５０ｍｍ程度に、ワイヤー巻取りプーリ２７の巻取りドラム２７ａの外径は７．１ｍｍ程度に形成されている。また、通常時における戻しバネ２９とワイヤー巻取りプーリ２７の距離は３００ｍｍ程度になるように構成されている。
【００３２】
即ち、実施の形態５では、実施の形態４と同様に、通常時は防煙スクリーン用固定ブレーキにより下方へ移動しないように制御されて乗場出入口が開放されている。そして、非常時には火災や煙を検出する検出器（図示せず）や建屋の防災基地等に設置される遠隔開放装置からの情報で防煙スクリーン用固定ブレーキが開放されてオモリとしての先端枠１２ａを自重により戻しバネ２９の復元力に抗して下方へ移動させることによりスクリーン１２が乗場出入口を閉鎖する仕組みになっている。この時、スクリーン１２は乗場高さの２１００ｍｍ程度繰り出されて、昇降路側巻取りドラム１３ｂが１３〜１４回転することにより、戻しバネ２９の他端がワイヤー巻取りプーリ２７近傍まで引き伸ばされた状態になる。一方、復旧時には、戻しバネ２９は先端枠１２ａの重量を引き上げる復元力を有していないため、保守員が先端枠１２ａを手で持ち上げてスクリーン１２の巻き取りを補助し、防煙スクリーン用固定ブレーキを動作させて、再び先端枠１２ａが下方へ移動しないように制御されて乗場出入口が開放される。
【００３３】
以上で説明した実施の形態５によれば、実施の形態４と同様の効果を得ることができる。
【００３４】
実施の形態６
図１２はこの発明の実施の形態６における防煙スクリーン装置の要部縦断面図、図１３はこの発明の実施の形態６における防煙スクリーン装置の要部斜視図である。なお、実施の形態５と同一又は相当部分には同一符号を付して説明を省略する。
【００３５】
図において、３０はワイヤー２８の下端に固定され、ワイヤー２８及びワイヤー巻取りプーリ２７を介して昇降路側巻取りドラム１３ｂをスクリーン１２の巻き取り方向に回転するようにワイヤー２８を自重により引き下げる荷重発生手段としてのオモリ、３１は上枠本体５ａ底面に形成され、ワイヤー２８が貫通するワイヤー通し穴、３２はワイヤー通し穴３１の下方で三方枠５の縦枠５ｃの一側に形成され、鉛直方向にワイヤー２８及びオモリ３０を摺動可能に収納するオモリガイド枠である。
【００３６】
実施の形態５では、ワイヤー巻取りプーリ２７は戻しバネ２９の復元力も利用してスクリーン１２の巻取り方向に回転する構成であった。一方、実施の形態６では、ワイヤー巻取りプーリ２７はオモリ３０の自重も利用してスクリーン１２の巻取り方向に回転する構成である。
【００３７】
以上で説明した実施の形態６によれば、実施の形態５と同様の効果に加え、オモリガイド枠３２がオモリ３０を鉛直方向に摺動可能に収納するため、作動に無理がなく故障の惧れが低い。
【００３８】
実施の形態７
図１４はこの発明の実施の形態７におけるエレベータ用防煙スクリーン装置が設けられる乗場出入口の斜視図である。なお、実施の形態１と同一又は相当部分には同一符号を付して説明を省略する。
【００３９】
図において、３３は乗場ボタン、３４はホールランタン、３５はインジケータ、３６は乗場ホール１側で三方枠５の上枠本体５ａ及び乗場ホール天井３の間を隠すように配置される幕板である。
【００４０】
実施の形態１〜実施の形態６では、三方枠５の上枠本体５ａは幕板３６を有さない構成であった。一方、実施の形態７では、三方枠５の上枠本体５ａは幕板３６を有するが、上枠本体５ａと幕板３６は別個に形成される構成である。詳細は図示しないが、防煙スクリーン装置１１は、実施の形態１〜実施の形態６と同様の構成である。
【００４１】
以上で説明した実施の形態７によれば、実施の形態１〜実施の形態６の効果に加え、意匠性を向上させた幕板３６付きの上枠本体５ａにも安定性を損なうことなく防煙スクリーン装置１１を適応できる。
【００４２】
なお、上枠本体５ａを縦枠５ｃとは別個に乗場ホール壁４に着脱自在に固定すれば、防煙スクリーン１１の保守作業がさらに容易になるのはいうまでもない。
【図面の簡単な説明】
【００４３】
【図１】この発明の実施の形態１におけるエレベータ用防煙スクリーン装置が設けられる乗場出入口の斜視図である。
【図２】この発明の実施の形態１におけるエレベータ用防煙スクリーン装置が設けられる乗場出入口の縦断面図である。
【図３】この発明の実施の形態１におけるエレベータ用防煙スクリーンの要部斜視図である。
【図４】この発明の実施の形態２における防煙スクリーン装置の要部斜視図である。
【図５】この発明の実施の形態３における防煙スクリーン装置の要部縦断面図である。
【図６】この発明の実施の形態３における防煙スクリーン装置の要部斜視図である。
【図７】この発明の実施の形態４における防煙スクリーン装置の要部縦断面図である。
【図８】この発明の実施の形態４における防煙スクリーン装置の要部斜視図である。
【図９】この発明の実施の形態５における防煙スクリーン装置の要部縦断面図である。
【図１０】この発明の実施の形態５における防煙スクリーン装置の要部斜視図である。
【図１１】この発明の実施の形態５における昇降路側巻取りドラムの回転軸の一端側を示す斜視図である。
【図１２】この発明の実施の形態６における防煙スクリーン装置の要部縦断面図である。
【図１３】この発明の実施の形態６における防煙スクリーン装置の要部斜視図である。
【図１４】この発明の実施の形態７におけるエレベータ用防煙スクリーン装置が設けられる乗場出入口の斜視図である。
【符号の説明】
【００４４】
１  乗場ホール
２  乗場ホール床
３  乗場ホール天井
４  乗場ホール壁
４ａ  建築壁本体
４ｂ  化粧壁
５  三方枠
５ａ  上枠本体
５ｂ  貫通穴
５ｃ  縦枠
５ｄ  スリット
５ｅ  凹部
６  乗場ボタン組込型インジケータ
６ａ  乗場ボタン
７  乗場の戸
８  戸閉装置カバー
９  戸閉装置
１０  乗場の敷居
１１  防煙スクリーン装置
１２  スクリーン
１２ａ  先端枠
１３  巻取り手段
１３ａ  乗場ホール側巻取りドラム
１３ｂ  昇降路側巻取りドラム
１３ｃ  巻取りドラム用プーリ
１４  モータ取付板
１５  モータカバー
１６  モータ
１６ａ  モータ用プーリ
１７  ベルト
１８  巻取り補助体
１９  モータ取付板
２０  モータ
２１  入力歯車
２２  減速機歯車
２３  アイドラー歯車
２４  ヒンジ
２５  点検蓋
２６  ゼンマイ式戻しバネ
２６ａ  バネ固定部
２７  ワイヤー巻取りプーリ
２７ａ  巻取りドラム
２８  ワイヤー
２９  戻しバネ
３０  オモリ
３１  ワイヤー通し穴
３２  オモリガイド枠
３３  乗場ボタン
３４  ホールランタン
３５  インジケータ
３６  幕板
【図１】
2008280122.tif 000003
【図２】
2008280122.tif 000004
【図３】
2008280122.tif 000005
【図４】
2008280122.tif 000006
【図５】
2008280122.tif 000007
【図６】
2008280122.tif 000008
【図７】
2008280122.tif 000009
【図８】
2008280122.tif 000010
【図９】
2008280122.tif 000011
【図１０】
2008280122.tif 000012
【図１１】
2008280122.tif 000013
【図１２】
2008280122.tif 000014
【図１３】
2008280122.tif 000015
【図１４】
2008280122.tif 000016